(57)【特許請求の範囲】
【請求項１】
・基油、
・下記一般式（Ｉ）：
【化１】
0005883200.tif 000030
［上記式中、Ｒ1はそれぞれ独立して、炭素原子数が１〜７のアルキル基である］
を有するボロキシン化合物、及び
・ＡＳＴＭ  Ｄ４７３９に従い試験した合計塩基数が、少なくとも８０ｍｇＫＯＨ／ｇであるアミン化合物、
を含有する、潤滑剤組成物。
【請求項２】
Ｒ1がそれぞれメチル基である、請求項１に記載の潤滑剤組成物。
【請求項３】
前記ボロキシン化合物が、前記潤滑剤組成物の全質量に対して０．１〜５質量％の量で含まれている、請求項１又は２に記載の潤滑剤組成物。
【請求項４】
前記アミン化合物が、前記潤滑剤組成物の全質量に対して、０．１〜２０質量％の量で含まれている、請求項１から３までのいずれか１項に記載の潤滑剤組成物。
【請求項５】
前記アミン化合物が、少なくとも１個のピペリジン環と、少なくとも１個のエステル基を有する、請求項１から４までのいずれか１項に記載の潤滑剤組成物。
【請求項６】
前記潤滑剤組成物におけるあらゆる反応の前に、前記潤滑剤組成物を形成するために用いられる前記ボロキシン化合物の全質量に対して、前記ボロキシン化合物の少なくとも５０質量％が、前記潤滑剤組成物中で未反応のまま残っている、請求項１から５までのいずれか１項に記載の潤滑剤組成物。
【請求項７】
さらにジヒドロカルビルジチオホスフェート塩を含有する、請求項１から６までのいずれか１項に記載の潤滑剤組成物。
【請求項８】
・基油、
・下記一般式（Ｉ）：
【化２】
0005883200.tif 000031
［上記式中、Ｒ1はそれぞれ独立して、炭素原子数が１〜７のアルキル基である］
を有するボロキシン化合物、
・下記ａ）のアミン化合物、
ａ）下記一般式（ＶＩ）又は（ＶＩＩ）；
【化３】
0005883200.tif 000032
【化４】
0005883200.tif 000033
を有する立体障害性アミン化合物、
上記式中、
Ｒ5はそれぞれ独立して、水素原子であるか、又は炭素原子数が１〜１７のヒドロカルビル基であり、ここでＲ5で示される基は少なくとも２つがアルキル基であり、
Ｒ6はそれぞれ独立して、水素原子であるか、又は炭素原子数が１〜１７のヒドロカルビル基であり、
Ｒ7はそれぞれ独立して、水素原子であるか、又は炭素原子数が１〜１７のヒドロカルビル基であり、ここでＲ7で示される基は少なくとも２つがアルキル基であり、
Ｒ8はそれぞれ独立して、水素原子であるか、又は炭素原子数が１〜１７のヒドロカルビル基であり、ここでＲ5、Ｒ6、Ｒ7、及びＲ8で示される前記ヒドロカルビル基はそれぞれ独立してアルコール基、アルキル基、アミド基、エーテル基、又はエステル基であり、
並びに、
・下記ｂ）のアミン化合物、下記ｃ）のアミン化合物、又は、下記ｂ）とｃ）のアミン化合物の組み合わせ、
ｂ）質量平均分子量が５００未満であり、かつ共有結合から成るモノマー状非環式アミン化合物、
ｃ）質量平均分子量が５００未満であり、かつ窒素原子を２個以下しか有さないモノマー状環式アミン化合物、
を含有する潤滑剤組成物。
【請求項９】
前記アミン化合物が、下記一般式（ＶＩＩＩ）：
【化５】
0005883200.tif 000034
を有する前記立体障害性アミン化合物であり、
前記式中、Ｒ5及びＲ6はそれぞれ前述の通りであり、Ｒ5のうち少なくとも３つが、独立してアルキル基である、請求項８に記載の潤滑剤組成物。
【請求項１０】
潤滑剤組成物用の添加剤パッケージであって、
・下記一般式（Ｉ）：
【化６】
0005883200.tif 000035
［上記式中、Ｒ1はそれぞれ独立して、炭素原子数が１〜７のアルキル基である］
を有するボロキシン化合物、及び
・ＡＳＴＭＤ４７３９に従い試験した合計塩基数が少なくとも８０ｍｇＫＯＨ／ｇであるアミン化合物
を有する、前記添加剤パッケージ。
【発明の詳細な説明】
【技術分野】
【０００１】
本発明は一般的に、基油、ボロキシン化合物、及びアミン化合物を含有する潤滑剤組成物に関する。本発明はまた、潤滑剤組成物用の添加剤パッケージに関する。
【背景技術】
【０００２】
性能特性を改善するため、鉱油又は合成油をベースとする潤滑剤組成物に、安定剤を添加することが知られており、また慣用である。慣用のアミン化合物には、潤滑剤用の安定剤として効果的なものもある。これら慣用のアミン化合物は、燃焼プロセスの間に形成される酸を中和するのに役立つことがある。しかしながらこれら慣用のアミン化合物は、フルオロポリマーシールに対して有害な効果を有するため、燃焼エンジンでは一般的に使用されない。
【発明の概要】
【発明が解決しようとする課題】
【０００３】
本発明の目的は、フルオロポリマーシール適合性が改善された、新規潤滑剤組成物を提供することである。
【課題を解決するための手段】
【０００４】
本発明により、基油、ボロキシン化合物、及びASTM D4739に従い試験した合計塩基数が少なくとも８０ｍｇＫＯＨ／ｇであるアミン化合物を含有する潤滑剤組成物が得られる。このボロキシン化合物は、下記一般式（Ｉ）：
【化１】
0005883200.tif 000002
を有し、上記式中、Ｒ1はそれぞれ、炭素原子数が１〜７のアルキル基である。本発明によってまた、基油、一般式（Ｉ）を有するボロキシン化合物、及びアミン化合物を含有する潤滑剤組成物が得られ、前記アミン化合物は、一般式（ＶＩ）又は（ＶＩＩ）：
【化２】
0005883200.tif 000003
を有する立体障害性アミン化合物を含む群から選択され、
・Ｒ5はそれぞれ独立して水素原子であるか、又は炭素原子数が１〜１７のヒドロカルビル基であり、Ｒ5で示される基は少なくとも２つがアルキル基であり、
・Ｒ6はそれぞれ独立して、水素原子であるか、又は炭素原子数が１〜１７のヒドロカルビル基であり、
・Ｒ6はそれぞれ独立して、水素原子であるか、又は炭素原子数が１〜１７のヒドロカルビル基であり、
・Ｒ7で示される基は少なくとも２つが、アルキル基であり、
・Ｒ8はそれぞれ独立して、水素原子であるか、又は炭素原子数が１〜１７のヒドロカルビル基であり、
・Ｒ5、Ｒ6、Ｒ7、及びＲ8で示されるヒドロカルビル基はそれぞれ独立して、アルコール基、アルキル基、アミド基、エーテル基、又はエステル基であり、モノマーの非環式アミン化合物は、質量平均分子量が５００未満であり、かつ共有結合から成り、モノマーの環式アミン化合物は、質量平均分子量が５００未満であり、窒素原子を２個以下しか有さない。
【０００５】
本発明はまた、一般式（Ｉ）を有するボロキシン化合物と、ASTM D4739に従い試験した合計塩基数が少なくとも８０ｍｇＫＯＨ／ｇであるアミン化合物とを含有する添加剤パッケージを目的とする。
【０００６】
ボロキシン化合物を含有する潤滑剤組成物は、CEC L-39-T96により示されるフルオロポリマーシールとの適合性が改善されている。
【０００７】
発明の詳細な説明
以下で述べるようにボロキシン化合物は、潤滑剤組成物のシール適合性を改善するため、潤滑剤組成物中に、又は潤滑剤組成物用の添加剤パッケージ中に含まれていてよい。ボロキシン化合物は潤滑剤組成物中で、１種以上のアミン化合物と組み合わされていてよい。潤滑剤組成物中にアミン化合物とともに存在する場合、ボロキシン化合物はアミン化合物と相互作用を起こし、潤滑剤組成物がフルオロポリマーシールと接触した時に、フルオロポリマーシールとの否定的な相互作用をもたらすアミン化合物の傾向に干渉すると考えられているが、アミン化合物の安定化作用が影響を受けることは無い。
【０００８】
ボロキシン化合物は、下記一般式（Ｉ）：
【化３】
0005883200.tif 000004
を有する。一般式（Ｉ）中、Ｒ1はそれぞれ独立して、炭素原子数が７以下のアルキル基である。例えばＲ1はそれぞれ独立して、炭素原子数が１〜７、１〜６、１〜５、１〜４、１〜３、又は１〜２のアルキル基であり得る。Ｒ1はそれぞれ独立して、直鎖状又は分枝鎖状であり得る。１つの特定の調製では、Ｒ1はそれぞれメチル基であり得る。基Ｒ1の例は独立して、メチル基、エチル基、ｎ−プロピル基、イソ−プロピル基、ｎ−ブチル基、ｓ−ブチル基、ｔ−ブチル基、及びｎ−ヘキシル基を含むことができる。
【０００９】
ボロキシン化合物は例えば、トリメトキシボロキシン、トリプロポキシボロキシン、トリイソプロポキシボロキシン、トリブトキシボロキシン、トリペントキシボロキシン、トリヘキソキシボロキシン、及びトリヘプトキシボロキシンである。例えばトリメトキシボロキシンは、下記式で例示できる：
【化４】
0005883200.tif 000005
【００１０】
幾つかの態様において式（Ｉ）のＲ1はそれぞれ、特定のアルキル基を表すことができる。このようなボロキシン化合物は例えば、下記式で例示できる：
【化５】
0005883200.tif 000006
上記式（Ｉ）中、Ｒ1で表される基の１つがメチルであり、上記式（Ｉ）中、Ｒ1で表される基の１つがエチルであり、上記式（Ｉ）中、Ｒ1で表される基の１つがプロピルである。或いはまた、上記式（Ｉ）中、Ｒ1で表される基が同じであってよく、上記式（Ｉ）中、Ｒ1で表される基が異なっていてもよい。
【００１１】
ボロキシン化合物は、潤滑剤組成物及び／又は添加剤パッケージ中に、潤滑剤組成物及び／又は添加剤パッケージにおける所望のホウ素濃度をもたらすのに充分な量で含有されていてよい。ボロキシン化合物は例えば、潤滑剤組成物の質量全体に対して、潤滑剤組成物中に１〜５０００ｐｐｍのホウ素をもたらすのに充分な量で含有されていてよい。或いは、ボロキシン化合物は潤滑剤組成物又は添加剤パッケージ中に、潤滑剤組成物の全質量に対して１００〜５０００ｐｐｍ、３００〜３０００ｐｐｍ、５００〜１５００ｐｐｍ、又は７００〜１２００ｐｐｍのホウ素をもたらすのに充分な量で含有されていてよい。或いはまたボロキシン化合物は、潤滑剤組成物の全質量に対して、潤滑剤組成物中に１〜１００ｐｐｍ、１〜４０ｐｐｍ、１〜２０ｐｐｍ、又は１０〜２０ｐｐｍのホウ素をもたらすのに充分な量で用意されていてよい。
【００１２】
或いは、ボロキシン化合物は潤滑剤組成物中に、潤滑剤組成物の全質量に対して０．１〜１０質量％、０．１〜５質量％、０．１〜１質量％、０．３〜０．７質量％、０．５〜３質量％、又は０．５〜１．５質量％の量で存在していてよい。別の態様においてボロキシン化合物は、潤滑剤組成物の全質量に対して１質量％超、５質量％未満の量で含有されている。異なるボロキシン化合物の混合物も、潤滑剤組成物及び／又は添加剤パッケージにおいて組み合わせで使用できる。
【００１３】
添加剤パッケージとして調製する場合、ボロキシン化合物は、添加剤パッケージの全質量に対して０．１〜７５質量％の量で存在していてよい。ボロキシン化合物はまた、添加剤パッケージ中に、添加剤パッケージの全質量に対して０．１〜５０質量％、０．１〜３３質量％、又は０．１〜２５質量％の量で存在していてよい。
【００１４】
ボロキシン化合物は、多様な方法で作製できる。一例としてボロキシン化合物は、オルトホウ酸（Ｈ3ＢＯ3）２ｍｏｌと、トリアルキルボレート１ｍｏｌとを反応させることによって作製できる。アルキルボレートは、一般式（Ｉ）中Ｒ1で示される基における所望の炭素原子の数に応じて、炭素原子を１〜７個有することができる。この反応は、１ｍｏｌのＨ2Ｏを除去するために、５０〜１５０℃の範囲で行うことができる。
【００１５】
慣用のホウ素化合物の慣用の使用は、慣用のアミン化合物と、慣用のホウ素化合物との反応生成物を形成する工程を有する。慣用のホウ素化合物は、反応性ボレートエステル及びホウ酸によって例示できる。これらの適用では、慣用のホウ素化合物は化学反応により消費され、最終的に形成される潤滑剤組成物は、慣用のホウ素化合物を検知可能な量では含有しない。これら慣用の使用ではさらに、慣用のアミン化合物を、慣用のホウ素化合物と反応させ、塩が形成される。塩の形成は、慣用のホウ素化合物と、慣用のアミン化合物との反応に関する電子的な衝撃によって実証され、これはＮＭＲ分光分析における化学シフトとして可視化できる。また、反応（例えば熱の生成、及び溶液の粘稠化＝架橋）が起こるという物理的な指標もある。
【００１６】
慣用のホウ素化合物をこのように用いる場合、反応前の慣用のホウ素化合物の全質量に対して、慣用のホウ素化合物の５０質量％超が、慣用のアミン化合物と反応可能であるか、又は加水分解されている。これとは対照的に、本発明による潤滑剤組成物、添加剤パッケージ、及び本発明による方法は、未反応状態のボロキシン化合物を有意な量で含有することができる。さらに、本発明による潤滑剤組成物、本発明による添加剤パッケージ、及び本発明による方法は、ボロキシン化合物の塩を実質的な量で形成する工程を有さない。よって潤滑剤組成物は、ボロキシン化合物の反応を通して形成される塩を含有しなくてもよく、或いは、ボロキシン化合物の反応を通して形成される塩を、あらゆる反応後の潤滑剤組成物の全質量に対して１０質量％未満、５質量％未満、又は１質量％未満、含有できる。
【００１７】
幾つかの態様では、潤滑剤組成物におけるあらゆる反応の前の潤滑剤組成物を形成するために利用されるボロキシン化合物の全質量に対して、ボロキシン化合物の少なくとも５０質量％、少なくとも６０質量％、少なくとも７０質量％、少なくとも８０質量％、又は少なくとも９０質量％が、潤滑剤組成物中に未反応のまま残る。或いは、潤滑剤組成物におけるあらゆる反応の前のボロキシン化合物の全質量に対して、ボロキシン化合物の少なくとも９５質量％、少なくとも９６質量％、少なくとも９７質量％、少なくとも９８質量％、又は少なくとも９９質量％が、潤滑剤組成物中に未反応のまま残る。
【００１８】
「未反応」という用語は、ボロキシン化合物の指定量が、潤滑剤組成物におけるあらゆる成分（例えば慣用のアミン化合物又は水）と反応しないという事実を表す。従って、未反応のボロキシン化合物の量は、潤滑剤組成物が最終的な適用（例えば内燃エンジン）において使用される前に、潤滑剤組成物に存在する場合、未使用のきれいな状態で残る。
【００１９】
「潤滑剤組成物におけるあらゆる反応の前に」という表現は、潤滑剤組成物におけるボロキシン化合物の量に対するものである。この表現は、ボロキシン化合物が潤滑剤組成物における他の成分と反応することを要求するものではない。すなわち、潤滑剤組成物におけるあらゆる反応の前のボロキシン化合物の全質量に対して、ボロキシン化合物の１００質量％が、未反応のまま残り得る。
【００２０】
１つの態様において、未反応のまま残るボロキシン化合物のパーセンテージは、潤滑剤組成物中に存在する全ての成分が、相互に平衡状態に達した後に特定される。潤滑剤組成物中で平衡に達するのに必要となる時間は、大きく変わり得る。例えば、平衡に達するのに必要な期間は、１分から数日、又は数週間にわたる。幾つかの態様において、潤滑剤組成物中で未反応のまま残るボロキシン化合物のパーセンテージは、１分後、１時間後、５時間後、１２時間後、１日後、２日後、３日後、１週間後、１ヶ月後、６ヶ月後、又は１年後に特定される。潤滑剤組成物中で未反応のボロキシン化合物のパーセンテージは一般的に、最終的な使用の前に特定される。
【００２１】
幾つかの態様において潤滑剤組成物は、潤滑剤組成物の全質量に対して、０．１質量％未満、０．０１質量％未満、０．００１質量％未満、又は０．０００１質量％未満、ボロキシン化合物と反応するであろう化合物を含有する。幾つかの態様において潤滑剤組成物は酸、無水物、トリアゾール、及び／又は酸化物を集合的な量で含有することができ、これは潤滑剤組成物の全質量に対して０．１質量％未満である。或いは、潤滑剤組成物は酸、無水物、トリアゾール、及び／又は酸化物を集合的な量で含有することができ、これは潤滑剤組成物の全質量に対して０．０１質量％未満、０．００１質量％未満、又は０．０００１質量％未満である。或いはまた、潤滑剤組成物は酸、無水物、トリアゾール、及び／又は酸化物不含であってよい。
【００２２】
「酸」という用語には、伝統的な酸と、ルイス酸の両方が含まれる。例えば、酸にはカルボン酸、例えば乳酸、及びヒドロアクリル酸、アルキル化されたコハク酸、アルキル芳香族スルホン酸、及び脂肪酸が含まれる。ルイス酸の例には、アルキルアルミネート、アルキルチタネート、モリブデン酸エステル（例えばモリブデンチオカルバメート、及びモリブデンカルバメート）、及びモリブデンスルフィドが含まれる。
【００２３】
「無水物」の例は、アルキル化されたコハク酸無水物、及びアクリレートである。トリアゾールは、ベンゾトリアゾールとその誘導体、トルトリアゾールとその誘導体、２−メルカプトベンゾチアゾール、２，５−ジメルカプトチアジアゾール、４，４’−メチレン−ビス−ベンゾトリアゾール、４，５，６，７−テトラヒドロベンゾトリアゾール、及びこれらの塩である。酸化物の例は、アルキレンオキシド（例えばエチレンオキシドとプロピレンオキシド）、金属酸化物、アルコキシ化されたアルコール、又はアルコキシ化されたエステルである。
【００２４】
潤滑剤組成物は、潤滑剤組成物の全質量に対して１００ｐｐｍ未満、５０ｐｐｍ未満、１０ｐｐｍ未満、又は５ｐｐｍ未満、Ｂ（ＯＨ）3-イオンを含有することができる。慣用のボロキシン化合物は、慣用の潤滑剤組成物と合わせる前に、Ｂ（ＯＨ）3-イオンが１００ｐｐｍ超、慣用の潤滑剤組成物に存在するように加水分解されていてよい。このような加水分解状態において、本願の発明者らは意外なことに、生成する慣用のボロキシン化合物が、シール適合性に対して予測された効果をもたらさないことに気付いた。換言すれば、あらゆる反応の前のボロキシン化合物の全質量に対して、ボロキシン化合物の少なくとも５０質量％、少なくとも６０質量％、少なくとも７０質量％、少なくとも８０質量％、少なくとも９０質量％、少なくとも９５質量％、又は少なくとも９９質量％が、加水分解されていない状態で潤滑剤組成物中に残る。加水分解されたボロキシン化合物の量は、前述の未反応のまま残るボロキシン化合物の量を特定する際に考慮される。
【００２５】
さらに、ボロキシン化合物は潤滑剤組成物の合計塩基数（ＴＢＮ）に対して、否定的な影響をもたらさない。潤滑剤組成物のＴＢＮ値は以下に記すように、ASTM D2896及びASTM D4739に従って測定できる。
【００２６】
前述のようにボロキシン化合物は、少なくとも１種のアミン化合物と合わせることができる。異なるアミン化合物の混合物もまた、ボロキシン化合物と合わせることができると理解されるべきである。含有される場合、潤滑剤組成物はアミン化合物を、潤滑剤組成物の全質量に対して０．１〜２５質量％、０．１〜２０質量％、０．１〜１５質量％、又は０．１〜１０質量％の量で含有することができる。或いは、潤滑剤組成物はアミン化合物を、潤滑剤組成物の全質量に対して０．５〜５質量％、１〜３質量％、１〜２質量％の量で含有することができる。
【００２７】
アミン化合物は、ボロキシン化合物と実質的に反応して塩を形成することはない。塩が形成されていないことは、潤滑剤組成物及び／又は添加剤パッケージ中に合わせられる場合、ボロキシン化合物とアミン化合物のＮＭＲ分光分析において化学シフトが欠如していることによって証明される。換言すれば、アミン化合物の少なくとも５０質量％、６０質量％、７０質量％、８０質量％、９０質量％、９５質量％、又は９９質量％が、潤滑剤組成物及び／又は添加剤パッケージが平衡に達した後、未反応のまま残る。
【００２８】
アミン化合物の塩基性は、酸滴定によって特定できる。生じる中和数は、ＴＢＮとして表され、様々な方法を用いて測定できる。ASTM D4739は、電位差による塩化水素酸滴定である。このASTM D4739による方法は、エンジン試験において好ましく、使用済みオイルとともにＴＢＮ減少／保持性を測定するために用いられる。使用済みエンジン潤滑剤を試験する場合、特定の弱塩基は、オイルに組み込まれていたと言うよりは、稼働の結果であると認識されるべきである。この試験法は、潤滑剤組成物において、酸化又は他の稼働条件の下、生成する潤滑剤組成物の色又は他の特性に拘わらず、使用の間に起こる相対的な変化を示すために使用できる。
【００２９】
アミン化合物は、ASTM D4739により試験して少なくとも８０ｍｇＫＯＨ／ｇというＴＢＮ値を有することができる。或いは、アミン化合物は、ASTM D4739により試験して少なくとも９０ｍｇＫＯＨ／ｇ、少なくとも１００ｍｇＫＯＨ／ｇ、少なくとも１１０ｍｇＫＯＨ／ｇ、少なくとも１２０ｍｇＫＯＨ／ｇ、少なくとも１３０ｍｇＫＯＨ／ｇ、少なくとも１４０ｍｇＫＯＨ／ｇ、少なくとも１５０ｍｇＫＯＨ／ｇ、又は少なくとも１６０ｍｇＫＯＨ／ｇというＴＢＮ値を有することができる。
【００３０】
アミン化合物が添加剤パッケージ中に含まれている場合、添加剤パッケージはアミン化合物を、添加剤パッケージの全質量に対して０．１〜５０質量％の量で含有する。或いは、添加剤パッケージはアミン化合物を、添加剤パッケージの全質量に対して１〜２５質量％、０．１〜１５質量％、１〜１０質量％、０．１〜８質量％、又は１〜５質量％の量で含有することができる。様々なアミン化合物の組み合わせも考慮される。
【００３１】
幾つかの態様において、アミン化合物は窒素原子を少なくとも１個有する。別の態様においてアミン化合物は、環状環の本体に窒素原子が３個以上ある場合、トリアゾール、トリアジン、又はこれらの類似化合物を含有しない。
【００３２】
幾つかの態様においてアミン化合物は、水素、炭素、窒素、及び酸素から成るか、又は実質的に、水素、炭素、窒素、及び酸素から成っていてよい。或いは、アミン化合物は、水素、炭素、及び窒素から成るか、又は実質的に水素、炭素、及び窒素から成っていてよい。アミン化合物の文脈において、「実質的に〜から成る」という表現は、アミン化合物の少なくとも９５ｍｏｌ％が、言及された原子（すなわち、水素、炭素、窒素、及び酸素；又は水素、炭素、及び窒素）であることを表す。例えば、アミン化合物が実質的に水素、炭素、窒素、及び酸素から成る場合、アミン化合物の少なくとも９５ｍｏｌ％が、水素、炭素、窒素、及び酸素である。特定の構成において、アミン化合物の少なくとも９６ｍｏｌ％、少なくとも９７ｍｏｌ％、少なくとも９８ｍｏｌ％、少なくとも９９ｍｏｌ％、若しくは少なくとも９９．９ｍｏｌ％が、水素、炭素、窒素、及び酸素であるか、又は別の態様において、アミン化合物の少なくとも９６ｍｏｌ％、少なくとも９７ｍｏｌ％、少なくとも９８ｍｏｌ％、少なくとも９９ｍｏｌ％、若しくは少なくとも９９．９ｍｏｌ％が、炭素、窒素、及び酸素である。
【００３３】
アミン化合物は、共有結合から成っていてよい。「共有結合から成る」という表現は、１個以上のイオン原子又は化合物とのイオン結合によってアミン化合物に結合する化合物を排除するものである。これはつまり、アミン化合物が共有結合から成る構成では、アミン化合物から、アミン化合物の塩（例えばホスフェートアミン塩、及びアンモニウム塩）が排除されるということである。よって特定の態様において潤滑剤組成物は、アミン化合物の塩を含有しない。より具体的には、潤滑剤組成物はホスフェートアミン塩、アンモニウム塩、及び／又はアミンスルフェート塩を含有しない。
【００３４】
別の態様においてアミン化合物は、質量平均分子量が５００未満のモノマー状非環式アミン化合物であり得る。或いは、モノマー状非環式アミン化合物は、質量平均分子量が４５０未満、４００未満、３５０未満、３００未満、２５０未満、２００未満、又は１５０未満である。
【００３５】
「モノマー状」とは、化合物が、相互に結合した繰り返しモノマー単位を３個より多く、２個より多く、又は１個より多く有さないということである。或いは、「モノマー状」とは、あらゆる繰り返しモノマー単位を含有しない化合物について言うことがあり得る。換言すれば、「モノマー状」とは、オリゴマー状、又はポリマー状の化合物を排除する用語である。しかしながら「モノマー状」という用語は、ジエチルアミンのような化合物を排除するものではない。
【００３６】
「非環式」とは、あらゆる環状構造を有さない化合物について述べるものであり、芳香族構造を排除する用語である。例えば、モノマー状非環式アミン化合物は、環状構造内で相互に結合した原子を少なくとも３個有する環を備える化合物、及びベンジル基、フェニル基、若しくはトリアゾール基を含有する化合物を含まない。
【００３７】
モノマー状環式アミン化合物は、下記一般式（ＩＩ）によって例示できる：
【化６】
0005883200.tif 000007
上記式中、Ｒ2はそれぞれ独立して、水素原子、又はヒドロカルビル基である。Ｒ2はそれぞれ独立して、アルコール基、アミノ基、アルキル基、アミド基、エーテル基、又はエステル基であり得る。モノマー状非環式アミン化合物において、Ｒ2は独立して炭素原子を、１〜５０個、１〜２５個、１〜１７個、１〜１５個、１〜１２個、１〜８個、１〜６個、又は１〜４個有することができる。Ｒ2で表される基はそれぞれ独立して、直鎖状、又は分枝鎖状であり得る。モノマー状非環式アミンには、モノアミン、ジアミン、及びポリアミンが含まれる。例えば、Ｒ2はそれぞれ、炭素原子数が１〜５０のアルコール基、アミノ基、アルキル基、アミド基、エーテル基、又はエステル基であってよく、炭素鎖の様々な位置で結合した所定の官能基（アルコールなど）を有することができる。
【００３８】
幾つかの態様において、Ｒ2で表される少なくとも１個の基は、置換されていない。或いは、Ｒ2で表される２個又は３個の基は、置換されていない。或いはまた、Ｒ2で表される１個、２個又は３個の基が、置換されていることも考えられる。「置換されていない」とは、ある基が、懸垂官能基（例えばヒドロキシ基、カルボキシ基、オキシド基、チオ基、チオール基）を有さないこと、及びある基が非環式ヘテロ原子（例えば酸素、硫黄、及び窒素のヘテロ原子）を有さないことを意味する。「置換された」とは、ある基が懸垂官能基を少なくとも１個有すること、又はある基が非環式ヘテロ原子を少なくとも１個有することを意味する。
【００３９】
アルキル基であるＲ2は例えば、メチル、エチル、ｎ−プロピル、ｎ−ブチル、ｓ−ブチル、ｔ−ブチル、ｎ−ヘキシル、ｎ−オクチル、２−エチルヘキシル、ｎ−ノニル、ｎ−デシル、ｎ−ウンデシル、ｎ−ドデシル、ｎ−トリデシル、ｎ−テトラデシル、ｎ−ヘキサデシル、又はｎ−オクタデシルから独立して選択できる。
【００４０】
モノマー状環式アミン化合物の例には、第一級、第二級、及び第三級アミンが含まれ、例えば以下のものが挙げられるが、これらに限られるわけではない：
【化７】
0005883200.tif 000008
【００４１】
或いは、モノマー状非環式アミン化合物は、以下のもの一種以上であり得る：
・その他の第一級アミン、例えばエチルアミン、ｎ−プロピルアミン、イソプロピルアミン、ｎ−ブチルアミン、イソブチルアミン、ｓ−ブチルアミン、ｔ−ブチルアミン、ペンチルアミン、及びヘキシルアミン、
・下記式の第一級アミン：ＣＨ3−Ｏ−Ｃ2Ｈ4−ＮＨ2、Ｃ2Ｈ5−Ｏ−Ｃ2Ｈ4−ＮＨ2、ＣＨ3−Ｏ−Ｃ3Ｈ6−ＮＨ2、Ｃ2Ｈ5−Ｏ−Ｃ3Ｈ6−ＮＨ2−、Ｃ4Ｈ9−Ｏ−Ｃ4Ｈ8−ＮＨ2、ＨＯ−Ｃ2Ｈ4−ＮＨ2、ＨＯ−Ｃ3Ｈ6−ＮＨ2、及びＨＯ−Ｃ4Ｈ8−ＮＨ2、
・第二級アミン、例えばジエチルアミン、メチルエチルアミン、ジ−ｎ−プロピルアミン、ジイソプロピルアミン、ジイソブチルアミン、ジ−ｓ−ブチルアミン、ジ−ｔ−ブチルアミン、ジペンチルアミン、ジヘキシルアミン、
・下記式の第二級アミン：（ＣＨ3−Ｏ−Ｃ2Ｈ4）2ＮＨ、（Ｃ2Ｈ5−Ｏ−Ｃ2Ｈ4）2ＮＨ、（ＣＨ3−Ｏ−Ｃ3Ｈ6）2ＮＨ、（Ｃ2Ｈ5−Ｏ−Ｃ3Ｈ6）2ＮＨ、（ｎ−Ｃ4Ｈ9−Ｏ−Ｃ4Ｈ8）2ＮＨ、（ＨＯ−Ｃ2Ｈ4）2ＮＨ、（ＨＯ−Ｃ3Ｈ6）2ＮＨ、及び（ＨＯ−Ｃ4Ｈ8）2ＮＨ、並びに
・ポリアミン、例えばｎ−プロピレンジアミン、１，４−ブタンジアミン、１，６−ヘキサンジアミン、ジエチレントリアミン、トリエチレンテトラミン、テトラエチレンペンタミン、及びこれらのアルキル化生成物、例えば３−（ジメチルアミノ）−ｎ−プロピルアミン、Ｎ，Ｎ−ジメチルエチレンジアミン、Ｎ，Ｎ−ジエチルエチレンジアミン、及びＮ，Ｎ，Ｎ’，Ｎ’，−テトラメチレンジエチレントリアミン。
【００４２】
或いはアミン化合物は、モノマー状環式アミン化合物であり得る。モノマー状環式アミン化合物は、質量平均分子量が１００〜１２００、２００〜８００、又は２００〜６００である。或いは、モノマー状環式アミン化合物は、質量平均分子量が５００未満であり得る。
【００４３】
「環式」とは、少なくとも３個の原子がともに結合して環を形成するあらゆる分子を有する化合物である。幾つかの態様では、「環式」という用語は、芳香族化合物を包含しない。従って、幾つかの態様では、モノマー状環式アミン化合物は、芳香族基（例えばフェニル環、及びベンジル環）不含である。
【００４４】
モノマー状環式アミン化合物は、１分子当たり窒素原子を２個以下有することができる。或いは、モノマー状環式アミン化合物は、１分子当たり窒素を１個だけ有することができる。「１分子当たりの窒素」とは、分子全体（分子の本体と、あらゆる懸垂置換基を含む）における窒素原子の総数を言う。幾つかの態様では、モノマー状環式アミン化合物は、モノマー状環式アミン化合物の環状部分に、窒素原子を１個又は２個有する。
【００４５】
モノマー状環式アミン化合物は、下記一般式（ＩＩＩ）又は（ＩＶ）によって例示できる：
【化８】
0005883200.tif 000009
又は
【化９】
0005883200.tif 000010
上記式中Ｚは、環状環を完成させるために必要な原子を表す。Ｚで表される環は、２〜２０個、３〜１５個、又は５〜１５個の炭素原子を有することができる。Ｚで示される環は、アルキル、ヒドロキシ、アミノ、アミド、カルボキシ、エーテル、オキシド、チオ、及びチオールの懸垂基によって置換されていてよく、酸素及び硫黄のヘテロ原子を有することができる。幾つかの態様においてＺで示される環は、窒素のヘテロ原子を含まない。
【００４６】
式（ＩＩＩ）において、Ｒ3は水素原子であるか、又はヒドロカルビル基である。Ｒ3がヒドロカルビル基である場合、Ｒ3はアルコール基、アミノ基、アルキル基、アミド基、エーテル基、又はエステル基であり得る。Ｒ3は炭素原子を、１〜５０個、１〜２５個、１〜１７個、１〜１５個、１〜１２個、１〜８個、１〜６個、又は１〜４個有することができる。Ｒ3は、直鎖状又は分枝鎖状であり得る。例えば、Ｒ3はそれぞれ、炭素原子数が１〜５０のアルコール基、アミノ基、アルキル基、アミド基、エーテル基、又はエステル基であってよく、炭素鎖の様々な位置で結合した所定の官能基（アミノなど）を有することができる。
【００４７】
１種以上の特定の態様において、モノマー状環式アミン化合物は、下記一般式（Ｖ）によって例示できる：
【化１０】
0005883200.tif 000011
【００４８】
一般式（Ｖ）において、Ｒ4はそれぞれ独立して、水素原子であるか、又は炭素原子数が１〜１７のヒドロカルビル基である。Ｒ4はそれぞれ独立して、アルコール基、アミノ基、アルキル基、アミド基、エーテル基、又はエステル基であり得る。Ｒ4はそれぞれ独立して、炭素原子を１〜１７個、１〜１５個、１〜１２個、１〜８個、１〜６個、又は１〜４個有することができる。Ｒ4で表される基はそれぞれ独立して、直鎖状、又は分枝鎖状であり得る。幾つかの態様において、Ｒ4で表される少なくとも１個の基は、置換されていない。或いは、Ｒ4で表される少なくとも２個、３個、４個、５個、又は６個の基は、置換されていない。或いはまた、Ｒ4で表される１個、２個、３個、４個、５個、又は６個の基が、置換されていることも考えられる。例えば、Ｒ4はそれぞれ、炭素原子数が１〜１７のアルコール基、アミノ基、アルキル基、アミド基、エーテル基、又はエステル基であってよく、炭素鎖の様々な位置で結合した官能基を有することができる。
【００４９】
モノマー状環式アミン化合物の例には、以下のものが含まれる：
【化１１】
0005883200.tif 000012
【００５０】
幾つかの態様では、モノマー状の非環式アミン化合物、又はモノマー状の環式アミン化合物は、立体障害性アミン化合物であり得る。幾つかの態様では、立体障害性アミン化合物は、質量平均分子量が１００〜１２００であり得る。或いは、立体障害性アミン化合物は、質量平均分子量が２００〜８００、又は２００〜６００であり得る。或いはまた、立体障害性アミンは、質量平均分子量が５００未満であり得る。
【００５１】
ここで使用する「立体障害性アミン化合物」とは、第二級若しくは第三級窒素原子に対して少なくとも１個のα炭素に結合した水素原子を２個未満しか有さない有機分子である。別の態様において「立体障害性アミン化合物」とは、第二級若しくは第三級窒素原子に対して少なくとも１個のα炭素に結合した水素原子を有さない有機分子である。さらなる別の態様において「立体障害性アミン化合物」とは、第二級若しくは第三級窒素原子に対して少なくとも２個のα炭素にそれぞれ結合した水素原子を有さない有機分子である。
【００５２】
立体障害性アミン化合物は、下記一般式（ＶＩ）、又は（ＶＩＩ）を有することができる：
【化１２】
0005883200.tif 000013
【化１３】
0005883200.tif 000014
【００５３】
一般式（ＶＩ）においてＲ5はそれぞれ独立して、水素原子であるか、又は炭素原子数が１〜１７のヒドロカルビル基であり、ここで１分子内でＲ5のうち少なくとも２個は、アルキル基であり、Ｒ6は独立して、水素原子であるか、又は炭素原子数が１〜１７のヒドロカルビル基である。一般式（ＶＩＩ）においてＲ7はそれぞれ独立して、水素原子であるか、又は炭素原子数が１〜１７のヒドロカルビル基であり、ここで１分子内でＲ7のうち少なくとも２個は、アルキル基であり、Ｒ8はそれぞれ独立して、水素原子であるか、又は炭素原子数が１〜１７のヒドロカルビル基である。
【００５４】
Ｒ5、Ｒ6、Ｒ7、及びＲ8はそれぞれ独立して、アルコール基、アルキル基、アミド基、エーテル基、又はエステル基であり得る。Ｒ5、Ｒ6、Ｒ7、及びＲ8はそれぞれ独立して、炭素原子を１〜１７個、１〜１５個、１〜１２個、１〜８個、１〜６個、又は１〜４個有することができる。Ｒ5、Ｒ6、Ｒ7、及びＲ8で表される基はそれぞれ独立して、直鎖状、又は分枝鎖状であり得る。例えば、Ｒ5、Ｒ6、Ｒ7、及びＲ8はそれぞれ、炭素原子数が１〜１７のアルコール基、アミノ基、アルキル基、アミド基、エーテル基、又はエステル基であってよく、炭素鎖の様々な位置で結合した所定の官能基を有することができる。
【００５５】
幾つかの態様において、Ｒ5、Ｒ6、Ｒ7、及びＲ8で表される少なくとも１個の基は、置換されていない。或いは、Ｒ5、Ｒ6、Ｒ7、及びＲ8で表される少なくとも２個、３個、４個、５個、又は６個の基は、置換されていない。別の態様において、Ｒ5、Ｒ6、Ｒ7、及びＲ8で表される基はいずれも、置換されていない。或いはまた、Ｒ5、Ｒ6、Ｒ7、及びＲ8で表される１個、２個、３個、４個、５個、又は６個の基が、置換されていることも考えられる。
【００５６】
Ｒ5、Ｒ6、Ｒ7、及びＲ8の基は例えば、メチル、エチル、ｎ−プロピル、ｎ−ブチル、ｓ−ブチル、ｔ−ブチル、ｎ−ヘキシル、ｎ−オクチル、２−エチルヘキシル、ｎ−ノニル、ｎ−デシル、ｎ−ウンデシル、ｎ−ドデシル、ｎ−トリデシル、ｎ−テトラデシル、ｎ−ヘキサデシル、又はｎ−オクタデシルから独立して選択できる。
【００５７】
一般式（ＶＩ）において、Ｒ5で表される基のうち少なくとも２個、少なくとも３個、又は４個の基がすべて、独立してアルキル基である。同時に、一般式（ＶＩＩ）中、Ｒ7で表される基の少なくとも２個が、アルキル基である。或いは、Ｒ7で表される基の少なくとも３個、又は４個の基が全て、アルキル基である。
【００５８】
一般式（ＶＩ）の立体障害性アミン化合物は、以下の化合物によって例示できる：
【化１４】
0005883200.tif 000015
【００５９】
一般式（ＶＩＩ）の立体障害性アミン化合物は、非環式である。「非環式」とは、一般式（ＶＩＩ）の立体障害性アミン化合物が、あらゆる環状構造と、芳香族構造を有さないということである。一般式（ＶＩＩ）の立体障害性アミン化合物は、以下の化合物によって例示できる：
【化１５】
0005883200.tif 000016
【００６０】
或いは立体障害性アミン化合物は、下記一般式（ＶＩＩＩ）によって例示できる：
【化１６】
0005883200.tif 000017
【００６１】
一般式（ＶＩＩＩ）において、Ｒ5及びＲ6はそれぞれ前述の通りであり、ここでＲ5のうち少なくとも３個が、独立してアルキル基である。一般式（ＶＩＩＩ）の立体障害性アミン化合物は、以下の化合物によって例示できる：
【化１７】
0005883200.tif 000018
【００６２】
立体障害性アミン化合物は、エステル基を１個だけ有することができる。しかしながら立体障害性アミン化合物はまた、エステル基を含有しないこともあり得る。幾つかの態様において、立体障害性アミン化合物は、少なくとも１個、又は１個だけ、ピペリジン環を有することができる。
【００６３】
ボロキシン化合物、及びアミン化合物は、潤滑剤組成物中にあるアミン化合物における窒素１〜２０部に対して、ホウ素が１部もたらされる量で用意することができる。或いは、ボロキシン化合物、及びアミン化合物は、潤滑剤組成物中にあるアミン化合物における窒素１〜１５部、１〜１０部、又は１〜５部に対して、ホウ素が１部もたらされる量で用意することができる。
【００６４】
さらに別の態様では、潤滑剤組成物は、基油、ボロキシン化合物、及びアミン化合物から成るか、又は実質的に基油、ボロキシン化合物、及びアミン化合物から成っていてよい。潤滑剤組成物は、ボロキシン化合物の官能性又は性能に大きく影響を与える添加剤１種以上に加えて、基油、ボロキシン化合物、及びアミン化合物から成るか、又は実質的に基油、ボロキシン化合物、及びアミン化合物から成っていてよいことも考慮される。例えば、潤滑剤組成物の性能全体に大きく影響を与える化合物は、潤滑剤組成物のＴＢＮ増強、潤滑性、フルオロポリマーシール適合性、腐食防止性、又は酸性に否定的な影響を与える化合物を含むことがある。
【００６５】
別の態様において添加剤パッケージは、ボロキシン化合物、及びアミン化合物から成るか、又は実質的に、ボロキシン化合物、及びアミン化合物から成っていてよい。添加剤パッケージは、ボロキシン化合物の官能性又は性能を損なわない添加剤１種以上に加えて、ボロキシン化合物、及びアミン化合物から成るか、又は実質的に、ボロキシン化合物、及びアミン化合物から成り得る。添加剤パッケージとの関連で「実質的に〜から成る」という表現は、添加剤パッケージが、潤滑剤組成物の性能全体に大きく影響する化合物を含まないということである。例えば、添加剤パッケージの性能全体に大きく影響を与える化合物は、添加剤パッケージのＴＢＮ増強、潤滑性、フルオロポリマーシール適合性、腐食防止性、又は酸性に否定的な影響を与える化合物を含むことがある。
【００６６】
幾つかの態様において、潤滑剤組成物は基油を含有する。基油は、American Petroleum Institute（米国石油協会、ＡＰＩ）のBase Oil Interchangeability Guidelinesに従って分類される。すなわち基油は、五種類の基油のうち１つ以上として記載できる。第Ｉ群：硫黄分０．０３質量％超、かつ／又は飽和炭化水素９０質量％未満、粘度指数８０〜１１９）、第ＩＩ群（硫黄含分０．０３質量％以下、飽和炭化水素９０質量％以上、粘度指数８０〜１１９）、第ＩＩＩ群（硫黄分０．０３質量％以下、飽和炭化水素９０質量％以上、粘度指数１１９以上）、第ＩＶ群（全てのポリα−オレフィン（ＰＡＯ））、及び第Ｖ群（第Ｉ群、第ＩＩ群、第ＩＩＩ群、又は第ＩＶ群に含まれないその他のものすべて）。
【００６７】
基油は、ＡＰＩ第Ｉ群の基油、ＡＰＩ第ＩＩ群の基油、ＡＰＩ第ＩＩＩ群の基油、ＡＰＩ第ＩＶ群の基油、ＡＰＩ第Ｖ群の基油、及びこれらの組み合わせから成る群から選択される。特定の調製において、基油はＡＰＩ第ＩＩ群の基油を含有する。
【００６８】
基油は、ＡＳＴＭ  Ｄ４４５に従って１００℃で試験した粘度が１〜２０ｃＳｔであり得る。或いは、ＡＳＴＭ  Ｄ４４５に従って１００℃で試験した基油の粘度は、３〜１７ｃＳｔ、又は５〜１４ｃＳｔであり得る。
【００６９】
基油はさらに、火花点火式、及び圧縮着火式内燃エンジン用のクランク室潤滑油として規定することもでき、これには自動車及びトラックのエンジン、２サイクル式エンジン、航空機用ピストンエンジン、船舶用エンジン、及び軌道車両用ディーゼルエンジンが含まれる。或いは、基油はさらに、ガス式エンジン、ディーゼルエンジン、定置型発電用エンジン、及びタービンで使用するためのオイルとして規定できる。基油はさらに、高負荷用、又は低負荷用のエンジンオイルとして規定できる。
【００７０】
さらなる別の態様において、基油はさらに、１種以上のアルキレンオキシドポリマーとコポリマー、及びこれらの誘導体を含有する合成オイルとして規定できる。アルキレンオキシドポリマーの末端ヒドロキシ基は、エステル化、エーテル化、又はこれらに似た反応によって変性できる。これらの合成オイルは、エチレンオキシド又はプロピレンオキシドを重合させて、ポリオキシアルキレンポリマーにすることによって作製でき、これをさらに反応させて、合成オイルにする。例えば、これらのポリオキシアルキレンポリマーのアルキルエーテルとアリールエーテルが使用できる。例えば、質量平均分子量が１０００のメチルポリイソプロピレングリコールエーテル、分子量が５００〜１０００のポリエチレングリコールのジフェニルエーテル、又は分子量が１０００〜１５００のポリプロピレングリコールのジエチルエーテル、及び／又はこれらのモノカルボン酸エステルとポリカルボン酸エステル、例えば酢酸エステル、混合型のＣ3〜Ｃ8脂肪酸エステル、及びテトラエチレングリコールのＣ13オキソ酸ジエステルもまた、基油として利用できる。
【００７１】
１つの態様では、ここに記載した成分１種以上を添加剤パッケージ中に混合し、この添加剤パッケージを続いて基油に混合して潤滑剤組成物にする。添加剤パッケージは、添加剤パッケージを基油の所定の量と合わせる場合、潤滑剤組成物中に所望の濃度で得られるように調製することができる。本明細書の開示内容による潤滑剤組成物に関する多くの言及は、添加剤パッケージにも当てはまることに、留意すべきである。添加剤パッケージは例えば、潤滑剤組成物として同じ成分を様々な量で含有することができ、又は排除することができる。
【００７２】
基油は潤滑剤組成物中に、潤滑剤組成物の全質量に対して５０〜９９．９質量％、６０〜９９．９質量％、７０〜９９．９質量％、８０〜９９．９質量％、９０〜９９．９質量％、７５〜９５質量％、８０〜９０質量％、又は８５〜９５質量％、存在していてよい。或いは、基油は潤滑剤組成物中に、潤滑剤組成物の全質量に対して５０質量％超、６０質量％超、７０質量％超、７５質量％超、８０質量％超、８５質量％超、９０質量％超、９５質量％超、９８質量％超、又は９９質量％超、存在していてよい。様々な態様において、完全に調製された潤滑剤組成物（存在する場合には希釈剤、又はキャリアオイルを含む）中における基油の量は、潤滑剤組成物の全質量に対して５０〜９９質量％、６０〜９０質量％、８０〜９９．５質量％、８５〜９６質量％、又は９０〜９５質量％である。様々な態様において、添加剤パッケージ（存在する場合には希釈剤、又はキャリアオイルを含む）中における基油の量は、含有されているのであれば、添加剤パッケージの全質量に対して０．１〜５０質量％、１〜２５質量％、又は１〜１５質量％である。
【００７３】
１つ以上の態様において潤滑剤組成物は、潤滑剤組成物の全質量に対して、硫酸灰分が３質量％以下、２質量％以下、１質量％以下、又は０．５質量％以下の低ＳＡＰＳ潤滑剤として分類され得る。「ＳＡＰＳ」とは、硫酸灰（Sulfated Ash）、リン（Ｐ）、及び硫黄（Ｓ）を言う。
【００７４】
潤滑剤組成物はＴＢＮ値が、潤滑剤組成物１ｇ当たり少なくとも１ｍｇＫＯＨであり得る。或いは、潤滑剤組成物はＴＢＮ値が、ＡＳＴＭ  Ｄ２８９６に従って試験した場合、潤滑剤組成物１ｇ当たり１〜１５ｍｇＫＯＨ、５〜１５ｍｇＫＯＨ、又は９〜１２ｍｇＫＯＨである。
【００７５】
潤滑剤組成物又は添加剤パッケージは、ボロキシン化合物及び／又はアミン化合物に加えて、さらに分散剤を含有することができる。この分散剤は、ポリアルケンアミンであり得る。ポリアルケンアミンは、ポリアルケン部分を有する。ポリアルケン部分は、同一若しくは異なる、直鎖状若しくは分枝鎖状のＣ2〜Ｃ6オレフィンモノマーの重合生成物である。適切なオレフィンモノマーの例は、エチレン、プロピレン、１−ブテン、イソブテン、１−ペンテン、２−メチルブテン、１−ヘキセン、２−メチルペンテン、３−メチルペンテン、及び４−メチルペンテンである。ポリアルケン部分は、質量平均分子量が２００〜１００００、５００〜１００００、又は８００〜５０００である。
【００７６】
１つの態様においてポリアルケンアミンは、ポリイソブテンから誘導される。特に適切なポリイソブテンは、「高反応性」ポリイソブテンとして知られ、これは末端二重結合の含分が高いことを特徴とする。末端二重結合は、下記一般式（ＩＸ）に見られる種類のα−オレフィン二重結合である：
【化１８】
0005883200.tif 000019
【００７７】
一般式（ＩＸ）に示される結合は、ビニリデン二重骨格として知られる。適切な高反応性ポリイソブテンは例えば、ビニリデン二重結合の割合が７０ｍｏｌ％超、８０ｍｏｌ％超、８５ｍｏｌ％超のものである。特に、均一なポリマー骨格を有するポリイソブテンが好ましい。均一なポリマー骨格は特に、少なくとも８５質量％、９０質量％、又は９５質量％のイソブテン単位から構成されるポリイソブテンを有する。このような高反応性ポリイソブテンは好ましくは、数平均分子量が、上記範囲にある。加えて、高反応性ポリイソブテンは、多分散性が１．０５〜７、又は１．１〜２．５であり得る。高反応性ポリイソブテンは、多分散性が１．９未満、又は１．５未満であり得る。多分散性とは、質量平均分子量Ｍｗを、数平均分子量Ｍｎで割った商のことである。
【００７８】
アミン分散剤は、無水コハク酸から誘導される分子を含むことができ、この分子は、ヒドロキシ基及び／又はアミノ基及び／又はアミド基及び／又はイミド基を有するものである。分散剤は例えば、ポリイソブテニル無水コハク酸から誘導でき、これは質量平均分子量が５００〜５０００の慣用の又は高反応性ポリイソブテンを、熱的な経路で、又は塩素化されたポリイソブテンを介して、無水マレイン酸と反応させることによって得られるものである。例えば、脂肪族ポリアミン（例えば、エチレンジアミン、ジエチレントリアミン、トリエチレンテトラミン、又はテトラエチレンペンタミン）との誘導体が使用できる。
【００７９】
ポリアルケンアミンを製造するために、ポリアルケン成分は、公知の方法でアミノ化できる。例示的な方法は、ヒドロホルミル化によるオキソ中間体の製造を介して、続いて適切な窒素化合物の存在下での還元性アミノ化によって進行する。
【００８０】
分散剤は、ポリ（オキシアルキル）基、又は一般式（Ｘ）のポリアルキレンポリアミン基であり得る：
Ｒ9−ＮＨ−（Ｃ1〜Ｃ6アルキレン−ＮＨ）m−Ｃ1〜Ｃ6アルキレン  （Ｘ）
上記式中、ｍは１〜５の整数であり、Ｒ9は水素原子であるか、又は炭素原子数が１〜６のヒドロカルビル基であり、Ｃ1〜Ｃ6アルキレンは、アルキル基の対応する架橋類似体を表す。分散剤は、１〜１０個のＣ1〜Ｃ4アルキレンイミン基から構成されるポリアルキレンイミン基であり得る。分散剤は或いは、結合している窒素原子とともに、置換若しくは非置換の５員〜７員の複素環であって、この複素環は、非置換であるか、又は１〜３個のＣ1〜Ｃ4アルキル基によって置換されていてよく、さらなる環ヘテロ原子（例えば酸素又は窒素）を有していてよい。
【００８１】
適切なアルケニル基の例は、炭素原子数が２〜１８のモノ不飽和、若しくはポリ不飽和の、好ましくはモノ不飽和若しくはジ不飽和のアルキル基類似体であって、炭化水素鎖中のあらゆる位置において二重結合が存在し得るものである。
【００８２】
Ｃ4〜Ｃ18シクロアルキル基の例には、シクロブチル、シクロペンチル、及びシクロヘキシルが含まれ、また１〜３個のＣ1〜Ｃ4アルキル基で置換されたこれらの類似体も含まれる。Ｃ1〜Ｃ4アルキル基は例えば、メチル、エチル、イソプロピル、ｎ−プロピル、ｎ−ブチル、イソブチル、ｓ−ブチル、又はｔ−ブチルから選択される。
【００８３】
アリールアルキル基の例には、Ｃ1〜Ｃ18アルキル基及びアリール基であって、単環式若しくは二環式の縮合型、若しくは非縮合型の４員〜７員、特に６員の芳香族若しくはヘテロ芳香族基（例えばフェニル、ピリジル、ナフチル、及びビフェニル）から誘導されるものが含まれる。
【００８４】
上記分散剤以外のさらなる分散剤を用いる場合、これらの分散剤は様々な種類のものであり得る。分散剤の適切な例には、ポリブテニルコハク酸アミド、ポリブテニルコハク酸イミド、ポリブテニルホスホン酸誘導体、及び塩基性のスルホン酸マグネシウム、スルホン酸カルシウム、及びスルホン酸バリウム、フェノール酸マグネシウム、フェノール酸カルシウム、フェノール酸バリウム、コハク酸エステル、及びアルキルフェノールアミン（マンニッヒ塩基）、並びにこれらの組み合わせである。
【００８５】
使用する場合、分散剤は様々な量で使用できる。分散剤は潤滑剤組成物中に、潤滑剤組成物の全質量に対して０．０１〜１５質量％、０．１〜１２質量％、０．５〜１０質量％、又は１〜８質量％の量で含有されていてよい。或いは分散剤は、潤滑剤組成物の全質量に対して１５質量％未満、１２質量％未満、１０質量％未満、５質量％未満、又は１質量％未満の量で、存在していてよい。
【００８６】
添加剤パッケージ中、分散剤とボロキシン化合物の全質量は、添加剤パッケージの全質量に対して、添加剤パッケージの５０質量％未満、４５質量％未満、４０質量％未満、３５質量％未満、又は３０質量％未満である。意外なことに、分散剤とボロキシン化合物の合計濃度が添加剤パッケージ中で高すぎると、分散剤とボロキシン化合物との反応が起こり、これにより濃縮と沈殿の形成につながり、また潤滑剤組成物のフルオロポリマーシール適合性が減少することが判明した。
【００８７】
潤滑剤組成物又は添加剤パッケージは、さらにジヒドロカルビルジチオホスフェート塩を含有することができる。ジヒドロカルビルジチオホスフェート塩は、下記一般式：［Ｒ10Ｏ（Ｒ11Ｏ）ＰＳ（Ｓ）］2Ｍによって表すことができ、ここでＲ10、及びＲ11はそれぞれ、炭素原子数が１〜２０のヒドロカルビル基であり、ここでＭは、金属原子又はアンモニウム基である。例えば、Ｒ10、及びＲ11はそれぞれ独立して、Ｃ1〜Ｃ20アルキル基、Ｃ2〜Ｃ20アルケニル基、Ｃ3〜Ｃ20シクロアルキル基、Ｃ1〜Ｃ20アラルキル基、又はＣ3〜Ｃ20アリール基であり得る。Ｒ10及びＲ11で表される基は、置換されているか、又は非置換である。金属原子は、アルミニウム、鉛、錫、マンガン、コバルト、ニッケル、又は亜鉛を含む群から選択されていてよい。アンモニウム基は、アンモニア、又は第一級、第二級、若しくは第三級アミンから誘導される基であり得る。アンモニウム基は、式Ｒ12Ｒ13Ｒ14Ｒ14Ｎ+のものであってよく、ここでＲ12、Ｒ13、Ｒ14、及びＲ15はそれぞれ、水素原子であるか、又は炭素原子数が１〜１５０のヒドロカルビル基である。幾つかの態様において、Ｒ12、Ｒ13、Ｒ14、及びＲ15はそれぞれ独立して、炭素原子数が４〜３０のヒドロカルビル基であり得る。ある特定の態様では、ジヒドロカルビルジチオホスフェート塩が、亜鉛ジアルキルジチオホスフェートである。
【００８８】
ジヒドロカルビルジチオホスフェート塩は潤滑剤組成物中に、それぞれ潤滑剤組成物の全質量に対して０．１〜２０質量％、０．５〜１５質量％、１〜１０質量％、０．１〜５質量％、０．１〜１質量％、０．１〜０．５質量％、又は０．１〜１．５質量％の量で存在していてよい。或いはジヒドロカルビルジチオホスフェート塩は、それぞれ潤滑剤組成物の全質量に対して２０質量％未満、１０質量％未満、５質量％未満、１質量％未満、０．５質量％未満、又は０．１質量％未満の量で、存在していてよい。添加剤パッケージはまた、それぞれ添加剤の全質量に対して０．１〜２０質量％、０．５〜１５質量％、１〜１０質量％、０．１〜５質量％、０．１〜１質量％、０．１〜０．５質量％、又は０．１〜１．５質量％、ジヒドロカルビルジチオホスフェート塩を含むことができる。
【００８９】
潤滑剤組成物又は添加剤パッケージはさらに、潤滑剤組成物の様々な化学的及び／又は物理的特性を改善するため、１種以上の添加剤を含有することができる。これらの添加剤は、ボロキシン化合物に加えて、又はボロキシン化合物とアミン化合物の組み合わせに加えて、存在していてよい。１種以上の添加剤の特定の例に含まれるのは、耐摩耗性添加剤、抗酸化剤、金属失活剤（不活性化剤）、防錆剤、粘度指数改善剤、流動点降下剤、分散剤、洗浄剤、及び減摩材である。添加剤はそれぞれ単独で、又は組み合わせて使用できる。１種以上の添加剤は、これを使用する場合、様々な量で使用できる。潤滑剤組成物は、幾つかの補助成分を加えて調製することができ、これにより特定の用途で用いるための特定の性能を得られる。潤滑剤組成物は例えば、防錆・酸化防止性潤滑剤組成物、液圧潤滑剤組成物、タービン潤滑油、及び内燃エンジン潤滑組成物であり得る。従って基油は、以下に述べるこれらの目的を達成するために調製されていてよい。
【００９０】
使用する場合、耐摩耗性添加剤は様々な種類が使用できる。耐摩耗性添加剤の例には、以下のものが含まれる：硫黄及び／又はリン及び／又はハロゲン含有成分、例えば硫黄化オレフィン、及び植物油、アルキル化トリフェニルホスフェート、トリトリルホスフェート、トリクレシルホスフェート、塩素化パラフィン、アルキル及びアリールのジスルフィド及びトリスルフィド、モノアルキルホスフェート及びジアルキルホスフェートのアミン塩、メチルホスホン酸のアミン塩、ジエタノールアミノメチルトリルトリアゾール、ビス（２−エチルヘキシル）アミノメチルトリルトリアゾール、２，５−ジメルカプト−１，３，４−チアジアゾールの誘導体、エチル−３−［（ジイソプロポキシホスフィノチオイル）チオ］プロピオネート、トリフェニルチオホスフェート（トリフェニルホスホロチオエート）、トリス（アルキルフェニル）ホスホロチオエート、及びこれらの混合物、ジフェニルモノノニルフェニルホスホロチオエート、イソブチルフェニルジフェニルホスホロチオエート、３−ヒドロキシ−１，３−チアホスフェタン−３−オキシドのドデシルアミン塩、トリチオリン酸５，５，５−トリス［イソオクチル２−アセテート］、２−メルカプトベンゾチアゾール、例えば１−［Ｎ，Ｎ−ビス（２−エチルヘキシル）アミノメチル］−２−メルカプト−１Ｈ−１，３−ベンゾチアゾール、エトキシカルボニル−５−オクチルジチオカルバメート、及び／又はこれらの組み合わせ。
【００９１】
使用する場合、耐摩耗性添加剤は、上記ジヒドロカルビルジチオホスフェート塩に加えて、又はこれに代えて、様々な量で使用できる。耐摩耗性添加剤は潤滑剤組成物中に、それぞれ潤滑剤組成物の全質量に対して、０．１〜２０質量％、０．５〜１５質量％、１〜１０質量％、０．１〜１質量％、０．１〜０．５質量％、又は０．１〜１．５質量％の量で存在していてよい。或いは耐摩耗性添加剤は、潤滑剤組成物の全質量に対して２０質量％未満、１０質量％未満、５質量％未満、１質量％未満、０．５質量％未満、又は０．１質量％未満の量で、存在していてよい。
【００９２】
使用する場合、抗酸化剤は様々な種類が使用できる。適切な抗酸化剤には、以下のものが含まれる：アルキル化モノフェノール、例えば２，６−ジ−ｔ−ブチル−４−メチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔ−ブチル−４−メトキシメチルフェノール、２，６−ジ−ノニル−４−メチルフェノール、２，４−ジメチル−６（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール、及びこれらの組み合わせ。
【００９３】
さらなる適切な抗酸化剤の例には例えば、アルキルチオメチルフェノール、例えば２，４−ジオクチルチオメチル−６−ｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノール、及びこれらの組み合わせが含まれる。ヒドロキノンとアルキル化ヒドロキノン、例えば２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシアニソール、３，５−ジ−ｔ−ブチル−４−ヒドロキシフェニルステアレート、ビス−（３，５−ジ−ｔ−ブチル−４−ヒドロキシフェニル）アジペート、及びこれらの組み合わせも使用できる。
【００９４】
さらには、ヒドロキシ化チオジフェニルエーテル、例えば２，２’−チオビス（６−ｔ−ブチル−４−メチルフェノール）、２，２’−チオビス（４−オクチルフェノール）、４，４’−チオビス（６−ｔ−ブチル−３−メチルフェノール）、４，４’−チオビス（６−ｔ−ブチル−２−メチルフェノール）、４，４’−チオビス−（３，６−ジ−ｓ−アミルフェノール）、４，４’−ビス（２，６−ジメチル−４−ヒドロキシフェニル）ジスルフィド、及びこれらの組み合わせも使用できる。
【００９５】
また、以下のものも潤滑剤組成物中において抗酸化剤として利用できる：アルキリデンビスフェノール、例えば２，２’−メチレンビス（６−ｔ−ブチル−４−メチルフェノール）、２，２’−メチレンビス（６−ｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（６−ｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔ−ブチルフェノール）、４，４’−メチレンビス（６−ｔ−ブチル−２−メチルフェノール）、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコールビス［３，３−ビス（３’−ｔ−ブチル−４’−ヒドロキシフェニル）ブチレート］、ビス（３−ｔ−ブチル−４−ヒドロキシ−５−メチルフェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス−（３，５−ジメチル−２−ヒドロキシフェニル）ブタン、２，２−ビス−（３，５−ジ−ｔ−ブチル−４−ヒドロキシフェニル）プロパン、２，２−ビス−（５−ｔ−ブチル−４−ヒドロキシ−２−メチルフェニル）−４−ｎ−ドデシルメルカプトブタン、１，１，５，５−テトラ−（５−ｔ−ブチル−４−ヒドロキシ−２−メチルフェニル）ペンタン、及びこれらの組み合わせ。
【００９６】
Ｏ−ベンジル化合物、Ｎ−ベンジル化合物、及びＳ−ベンジル化合物、例えば３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリス−（３，５−ジ−ｔ−ブチル−４−ヒドロキシベンジル）アミン、ビス（４−ｔ−ブチル−３−ヒドロキシ−２，６−ジメチルベンジル）ジチオールテレフタレート、ビス（３，５−ジーｔ−ブチル−４−ヒドロキシベンジル）スルフィド、イソオクチル−３，５−ジ−ｔ−ブチル−４−ヒドロキシベンジルメルカプトアセテート、及びこれらの組み合わせも、使用できる。
【００９７】
ヒドロキシベンジル化マロネート、例えばジオクタデシル−２，２−ビス−（３，５−ジ−ｔ−ブチル−２−ヒドロキシベンジル）マロネート、ジオクタデシル−２−（３−ｔ−ブチル−４−ヒドロキシ−５−メチルベンジル）マロネート、ジドデシルメルカプトエチル−２，２−ビス（３，５−ジ−ｔ−ブチル−４−ヒドロキシベンジル）マロネート、ビス［４−（１，１，３，３−テトラメチルブチル）フェニル］−２，２−ビス（３，５−ジ−ｔ−ブチル−４−ヒドロキシベンジル）マロネート、及びこれらの組み合わせも、抗酸化剤としての使用に適している。
【００９８】
トリアジン化合物、例えば２，４−ビス（オクチルメルカプト）−６−（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシフェノキシ）−１，３，５−トリアジン、２，４，６−トリス（３，５−ジ−ｔ−ブチル−４−ヒドロキシフェノキシ）−１，２，３−トリアジン、１，３，５−トリス（３，５−ジ−ｔ−ブチル−４−ヒドロキシベンジル）イソシアヌレート、１，３，５−トリス（４−ｔ−ブチル−３−ヒドロキシ−２，６−ジメチルベンジル、２，４，６−トリス（３，５−ジ−ｔ−ブチル−４−ヒドロキシフェニルエチル）−１，３，５−トリアジン、１，３，５−トリス（３，５−ジ−ｔ−ブチル−４−ヒドロキシフェニルプロピオニル）−ヘキサヒドロ−１，３，５−トリアジン、１，３，５−トリス−（３，５−ジシクロヘキシル−４−ヒドロキシベンジル）−イソシアヌレート、及びこれらの混合物も使用できる。
【００９９】
抗酸化剤のさらなる例には、芳香族ヒドロキシベンジル化合物、例えば１，３，５−トリス−（３，５−ジ−ｔ−ブチル−４−ヒドロキシベンジル）−２，４，６−トリメチルベンゼン、１，４−ビス（３，５−ジ−ｔ−ブチル−４−ヒドロキシベンジル）−２，３，５，６−テトラメチルベンゼン、２，４，６−トリス（３，５−ジ−ｔ−ブチル−４−ヒドロキシベンジル）フェノール、及びこれらの組み合わせが含まれる。ベンジルホスホネート、例えばジメチル−２，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシ−３−メチルベンジルホスホネート、ジオクタデシル−５−ｔ−ブチル−４−ヒドロキシ−３−メチルベンジルホスホネート、３，５−ジ−ｔ−ブチル−４−ヒドロキシベンジルホスホン酸のモノエチルエステルのカルシウム塩、及びこれらの組み合わせも使用できる。さらには、アシルアミノフェノール、例えば４−ヒドロキシラウルアニリド、４−ヒドロキシステアルアニリド、及びオクチルＮ−（３，５−ジ−ｔ−ブチル−４−ヒドロキシフェニル）カルバメートである。
【０１００】
［３−（３，５−ジ−ｔ−ブチル−４−ヒドロキシフェニル）］プロピオン酸と、一価若しくは多価アルコールとのエステルも使用でき、これらのアルコールは例えば、メタノール、エタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン、及びこれらの組み合わせである。さらに考慮されるのは、β−（５−ｔ−ブチル−４−ヒドロキシ−３−メチルフェニル）プロピオン酸と、一価若しくは多価アルコールとのエステルが使用できることであり、これらのアルコールの例は、メタノール、エタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、４−ヒドロキシメチル−１−ホスファ−２，６，７−トリオキサビシクロ［２．２．２］オクタン、及びこれらの組み合わせである。
【０１０１】
適切な抗酸化剤のさらなる例には、窒素を含有するものが含まれ、それは例えば、β−（３，５−ジ−ｔ−ブチル−４−ヒドロキシフェニル）プロピオン酸のアミド、例えばＮ，Ｎ’−ビス（３，５−ジ−ｔ−ブチル−４−ヒドロキシフェニルプロピオニル）ヘキサメチレンジアミン、Ｎ，Ｎ’−ビス（３，５−ジ−ｔ−ブチル−４−ヒドロキシフェニルプロピオニル）トリメチレンジアミン、Ｎ，Ｎ’−ビス（３，５−ジ−ｔ−ブチル−４−ヒドロキシフェニルプロピオニル）ヒドラジンである。他の適切な抗酸化剤の例に含まれるのは、アミン系抗酸化剤、例えばＮ，Ｎ’−ジイソプロピル−ｐ−フェニレンジアミン、Ｎ，Ｎ’−ジ−ｓ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−フェニル−２−ナフチルアミン、オクチル化ジフェニルアミン、例えばｐ，ｐ’−ジ−ｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔ−オクチル化Ｎ−フェニル−１−ナフチルアミン、モノアルキル化及びジアルキル化されたｔ−ブチル／ｔ−オクチルジフェニルアミンの混合物、モノアルキル化及びジアルキル化されたイソプロピル／イソヘキシルジフェニルアミンの混合物、モノアルキル化及びジアルキル化されたｔ−ブチルジフェニルアミンの混合物、２，３−ジヒドロ−３，３−ジメチル−４Ｈ−１，４−ベンゾチアジジン、フェノチアジジン、Ｎ−アリルフェノチアジジン、Ｎ，Ｎ，Ｎ’，Ｎ’−テトラフェニル−１，４−ジアミノブタ−２−エン、及びこれらの組み合わせである。
【０１０２】
適切な抗酸化剤のさらなる例には、脂肪族若しくは芳香族ホスファイト、チオジプロピオン酸若しくはチオジ酢酸のエステル、又はジチオカルバミン酸若しくはジチオリン酸の塩、２，２，１２，１２−テトラメチル−５，９−ジヒドロキシ−３，７−１−トリチアトリデカン、及び２，２，１５，１５−テトラメチル−５，１２−ジヒドロキシ−３，７，１０，１４−テトラチアヘキサデカン、及びこれらの組み合わせが含まれる。さらに、硫黄化脂肪エステル、硫黄化脂肪、硫黄化オレフィン、及びこれらの組合せも使用できる。
【０１０３】
使用する場合、抗酸化剤は様々な量で使用できる。抗酸化剤は潤滑剤組成物中に、潤滑剤組成物の全質量に対して０．０１〜５質量％、０．１〜３質量％、又は０．５〜２質量％の量で存在していてよい。或いは抗酸化剤は、潤滑剤組成物の全質量に対して５質量％未満、３質量％未満、２質量％未満の量で、存在していてよい。
【０１０４】
使用する場合、金属失活剤は様々な種類が使用できる。適切な金属失活剤には、ベンゾトリアゾールとその誘導体、例えば４−若しくは５−アルキルベンゾトリアゾール（例えばトルトリアゾール）とその誘導体、４，５，６，７−テトラヒドロベンゾトリアゾール、及び５，５’−メチレンビスベンゾトリアゾール、ベンゾトリアゾール若しくはトルトリアゾールのマンニッヒ塩基、例えば１−［ビス（２−エチルヘキシル）アミノメチル］トルトリアゾール、及び１−［ビス（２−エチルヘキシル）アミノメチル］ベンゾトリアゾール、並びにアルコキシアルキルベンゾトリアゾール、例えば１−（ノニルオキシメチル）ベンゾトリアゾール、１−（１−ブトキシエチル）ベンゾトリアゾール、及び１−（１−シクロヘキシルオキシブチル）トルトリアゾール、及びこれらの組み合わせが含まれる。
【０１０５】
さらなる適切な金属失活剤の例には、１，２，４−トリアゾールとその誘導体、及び１，２，４−トリアゾールのマンニッヒ塩基、例えば１−［ビス（２−エチルヘキシル）アミノメチル］−１，２，４−トリアゾール、アルコキシアルキル−１，２，４−トリアゾール、例えば１−（１−ブトキシエチル）−１，２，４−トリアゾール、及びアシル化３−アミノ−１，２，４−トリアゾール、イミダゾール誘導体、例えば４，４’−メチレンビス（２−ウンデシル−５−メチルイミダゾール）、及びビス［（Ｎ−メチル）イミダゾール−２−イル］カルビノールオクチルエーテル、及びこれらの組み合わせが含まれる。適切な金属失活剤のさらなる例に含まれるのは、硫黄含有複素環化合物、例えば２−メルカプトベンゾチアゾール、２，５−ジメルカプト−１，３，４−チアジアゾール、及びこれらの誘導体、並びに３，５−ビス［ジ（２−エチルヘキシル）アミノメチル］−１，３，４−チアジアゾリン−２−オン、及びこれらの組み合わせが含まれる。金属失活剤のさらなる例には、アミノ化合物、例えばサリシリデンプロピレンジアミン、サリシルアミノグアニジン、及びこれらの塩、並びにこれらの組み合わせが含まれる。
【０１０６】
使用する場合、金属失活剤は様々な量で使用できる。金属失活剤は潤滑剤組成物中に、潤滑剤組成物の全質量に対して０．０１〜０．１質量％、０．０５〜０．０１質量％、又は０．０７〜０．１質量％の量で存在していてよい。或いは金属失活剤は、それぞれ潤滑剤組成物の全質量に対して１．０質量％未満、０．７質量％未満、又は０．５質量％未満の量で、存在していてよい。
【０１０７】
使用する場合、防錆剤及び／又は減摩材は様々な種類が使用できる。適切な防錆剤及び／又は減摩材の例には、有機酸とそのエステル、金属塩、例えばアルキルコハク酸、アルケニルコハク酸、及びこれらの酸とアルコールとの部分エステル、ジオール、又はヒドロキシカルボン酸、アルキルコハク酸及びアルケニルコハク酸の部分アミド、４−ノニルフェノキシ酢酸、アルコキシカルボン酸、及びアルコキシエトキシカルボン酸、例えばドデシルオキシ酢酸、ドデシルオキシ（エトキシ）酢酸、並びにＮ−オレオイルサルコシン、ソルビタンモノオレエート、鉛ナフテネート、アルケニル無水コハク酸、例えばドデセニル無水コハク酸、２−カルボキシメチル−１−ドデシル−３−メチルグリセロール、及びこれらの組み合わせが含まれる。さらなる例には、複素環式化合物、例えば置換イミダゾリン、置換オキサゾリン、及び２−ヘプタデセニル−１−（２−ヒドロキシエチル）イミダゾリン、リン含有化合物、例えばリン酸部分エステルのアミン塩、又はリン酸部分エステル、モリブデン含有化合物、例えばモリブデンジチオカルバメート、及び他の硫黄及びリン含有誘導体、硫黄含有化合物、例えばバリウムジノニルナフタレンスルホネート、カルシウム石油スルホネート、アルキルチオ置換された脂肪族カルボン酸、脂肪族２−スルホカルボン酸のエステルとその塩、グリセロール誘導体、例えばグリセロールモノオレエート、１−（アルキルフェノキシ）−３−（２−ヒドロキシエチル）グリセロール、１−（アルキルフェノキシ）−３−（２，３−ジヒドロキシプロピル）グリセロール、及び２−カルボキシアルキル−１，３−ジアルキルグリセロール、及びこれらの組み合わせが含まれる。
【０１０８】
使用する場合、防錆剤及び／又は減摩材は様々な量で使用できる。防錆材及び／又は減摩材は潤滑剤組成物中に、潤滑剤組成物の全質量に対して０．０１〜０．１質量％、０．０５〜０．０１質量％、又は０．０７〜０．１質量％の量で存在していてよい。或いは防錆材及び／又は減摩材は、潤滑剤組成物の全質量に対して１質量％未満、０．７質量％未満、又は０．５質量％未満の量で、存在していてよい。
【０１０９】
使用する場合、粘度指数改善剤は様々な種類が使用できる。粘度指数改善剤の適切な例には、ポリアクリレート、ポリメタクリレート、ビニルピロリドン／メタクリレートのコポリマー、ポリビニルピロリドン、ポリブテン、オレフィンコポリマー、スチレン／アクリレートのコポリマー、及びポリエーテル、並びにこれらの組み合わせが含まれる。
【０１１０】
使用する場合、粘度指数改善剤は様々な量で使用できる。粘度指数改善剤は潤滑剤組成物中に、潤滑剤組成物の全質量に対して０．０１〜２０質量％、１〜１５質量％、又は１〜１０質量％の量で存在していてよい。或いは粘度指数改善剤は、潤滑剤組成物の全質量に対して１０質量％未満、８質量％未満、５質量％未満の量で、存在していてよい。
【０１１１】
使用する場合、流動点降下剤は様々な種類が使用できる。流動点降下剤の適切な例には、ポリメタクリレート、及びアルキル化ナフタレン誘導体、及びこれらの組み合わせが含まれる。
【０１１２】
使用する場合、流動点降下剤は様々な量で使用できる。流動点降下剤は潤滑剤組成物中に、潤滑剤組成物の全質量に対して０．０１〜０．１質量％、０．０５〜０．０１質量％、又は０．０７〜０．１質量％未満の量で存在していてよい。或いは流動性抑制剤は、潤滑剤組成物の全質量に対して１．０質量％未満、０．７質量％未満、又は０．５質量％未満の量で、存在していてよい。
【０１１３】
使用する場合、洗浄剤は様々な種類が使用できる。適切な洗浄剤の例には、過塩基性若しくは中性の金属スルホネート、フェネート、及びサリシレート、並びにこれらの組み合わせが含まれる。
【０１１４】
使用する場合、洗浄剤は様々な量で使用できる。洗浄剤は潤滑剤組成物中に、潤滑剤組成物の全質量に対して０．０１〜５質量％、０．１〜４質量％、０．５〜３質量％、又は１〜３質量％の量で存在していてよい。或いは洗浄剤は、潤滑剤組成物の全質量に対して５質量％未満、４質量％未満、３質量％未満、２質量％未満、又は１質量％未満の量で、存在していてよい。
【０１１５】
様々な態様において、潤滑剤組成物は実質的に水不含であり、潤滑剤組成物は例えば、潤滑剤組成物の全質量に対して５質量％未満、４質量％未満、３質量％未満、２質量％未満、１質量％未満、０．５質量％未満、又は０．１質量％未満の量で、水を含有する。或いは、潤滑剤組成物は完全に水不含である。
【０１１６】
使用のために用意される、また本発明により使用される好ましい潤滑剤組成物には、CEC L-39-T96のシール適合性試験に合格するものが含まれる。CEC L-39-T96試験は、潤滑剤組成物中のフルオロポリマーの試験体を１５０℃に維持する工程を伴う。それからシール検体を取り外して乾燥させ、シール検体の特性を評価し、潤滑時組成物中で加熱しなかったシール検体と比較する。これらの特性におけるパーセンテージの変化は、潤滑剤組成物とのフルオロポリマーシールの適合性を定量化するために評価する。ボロキシン化合物を潤滑剤組成物に組み込むことにより、潤滑剤組成物がシールを分解する傾向は、ボロキシン化合物不含の潤滑剤組成物に比べて減少する。
【０１１７】
合格／不合格の基準には、事前にエージングせずに新しいオイルに７日間含浸させた後の、特定の特性の最大の変化幅が含まれる。各特性値についてこの最大変化幅は、使用するエラストマーの種類、使用するエンジンの種類、及び後処理デバイスを利用するかどうかによって異なる。
【０１１８】
含浸前、及び含浸後に測定した特性には、ＤＩＤＣ硬度（点数）、引張強さ（％）、破断点伸び（％）、体積変化（％）が含まれる。高負荷ディーゼルエンジンについて、合格／不合格の基準を以下の表１に示す。
【表１】
0005883200.tif 000020
【０１１９】
これらの試験において慣用の潤滑剤組成物が試験に合格するのは、被曝した検体が、硬度において−１％〜＋５％、引張強さにおいて−５０％〜＋１０％（試験していない検体と比較して）、破断点伸びにおいて−６０％〜＋１０％（試験していない検体と比較して）、体積変化において−１％〜＋５％（試験していない検体と比較して）、変化を示す場合である。
【０１２０】
高負荷ディーゼルエンジンについて潤滑剤組成物をCEC L-39-T96に従って試験した場合、硬度における変化は、−１％〜５％、−０．５％〜５％、−０．１％〜５％、０．５％〜５％、又は１％〜５％の範囲であり、引張強さにおける変化は、−５０％〜１０％、−４５％〜１０％、−４０％〜１０％、又は−３５％〜１０％の範囲であり、破断点伸びにおける変化は、−６０％〜１０％、−５５％〜１０％、−５０％〜１０％、又は−４５％〜１０％の範囲であり、体積変化は−１％〜５％、−０．７５％〜５％、−０．５％〜５％、−０．１％〜５％、又は０〜５％の範囲であり得る。
【０１２１】
上記潤滑剤組成物においてボロキシン組成物を用いる場合、生成する潤滑剤組成物がフルオロポリマー適合性を有することにより、前記潤滑剤組成物に浸漬されたフルオロポリマーシールは引張強さにおいて、１０％未満、１５％未満、２０％未満、２５％未満、３０％未満、３５％未満、４０％未満、４５％未満、５０％未満、５５％未満、又は６０％未満の変化を示す（CEC L-39-T96に従って高負荷ディーゼルエンジンについて試験した場合）。同様に、上記潤滑剤組成物においてボロキシン化合物を用いる場合、生成する潤滑剤組成物がフルオロポリマー適合性を有することにより、フルオロポリマーは破断点伸びにおいて、２０％未満、２５％未満、３０％未満、３５％未満、４０％未満、４５％未満、５０％未満、５５％未満、又は６０％未満の変化を示す（CEC L-39-T96に従って高負荷ディーゼルエンジンについて試験した場合）。
【０１２２】
上記化合物のうち幾つかは、潤滑剤組成物中で相互作用を起こしてもよく、これにより、最終的な形態における潤滑剤組成物の成分は、当初添加した、又は一緒に合わせた成分とは異なることがある。これによって形成される生成物のうち幾つか（意図する用途における本発明の潤滑剤組成物により形成される生成物を含む）は、記載するのが困難であるか、又は記載できない。それにも拘わらず、これら全ての変性、反応生成物、及び本発明の潤滑剤組成物を用いて形成される生成物は、明示的に考慮され、本明細書に組み込まれるものとする。本発明の様々な態様は上述のように、１種以上の変性、反応生成物、並びに潤滑剤組成物を用いることにより形成される生成物を含む。
【０１２３】
システムを潤滑にする方法が提供される。この方法はシステムを、上記潤滑剤組成物と接触させる工程を有する。このシステムはさらに、内燃エンジンを有することができる。或いは、このシステムはさらに、あらゆる燃焼エンジン、又は潤滑剤組成物を利用するアプリケーションを有することができる。このシステムは、少なくとも１種のフルオロポリマーシールを有する。
【０１２４】
フルオロポリマーシールは、フルオロエラストマーを有することができる。フルオロエラストマーは例えば、ＦＫＭのASTM D1418及びISO 1629という呼称に分類できる。フルオロエラストマーは、ヘキサフルオロプロピレン（ＨＦＰ）とビニリデンフルオリド（ＶＦ２のＶＤＦ）とのコポリマー、テトラフルオロエチレン（ＴＦＥ）、ビニリデンフルオリド、及びヘキサフルオロプロピレンのターポリマー、ペルフルオロメチルビニルエーテル（ＰＭＶＥ）、ＴＦＥとプロピレンのコポリマー、及びＴＦＥ、ＰＭＶＥ、及びエチレンのコポリマーである。フッ素含分は例えば、フルオロポリマーシールの全質量に対して６６〜７０質量％の間で変わる。ＦＫＭは、ポリメチレン系のフッ素ゴムであり、ポリマー鎖上に置換基のフルオロとペルフルオロアルキル、又はペルフルオロアルコキシ基を有するものである。
【０１２５】
加えて、潤滑剤組成物を形成する方法が提供される。この方法は、基油とボロキシン化合物、（及び任意でアミン化合物）を合する工程を有する。ボロキシン化合物は、あらゆる慣用の方法で基油に組み込むことができる。よってボロキシン化合物は、ボロキシン化合物を基油に所望の濃度水準で分散又は溶解させることにより、基油に直接添加することができる。或いは、ボロキシン化合物が所望の濃度水準になるまで撹拌しながら、基油をボロキシン化合物に直接添加することができる。このようなブレンドは、周辺温度、又は低温で行うことができ、その温度は例えば、３０℃、２５℃、２０℃、１５℃、１０℃、又は５℃である。
【０１２６】
実施例
以下の実施例では、均質になるまで各成分をともに混合することによって、例示的な潤滑剤組成物を調製したが、本願発明による潤滑剤組成物が、これらに限られるわけではない。分散剤、洗浄剤、アミン系抗酸化剤、フェノール系抗酸化剤、消泡剤、基油、耐摩耗性添加剤、流動点降下剤、及び粘度調整剤を含有する完全に調製した潤滑油組成物を作製した。市販の代表的なクランク室潤滑剤であるこの潤滑剤組成物を、「参照用潤滑剤」と呼び、シール適合性に関する異なる成分の効果を比較するための基準として用いる。
【０１２７】
参照用の潤滑剤を、ホウ素含有量が様々に異なる化合物、及び窒素含有量が様々に異なる化合物と合し、シール適合性に対するホウ素含有化合物の効果と、窒素含有化合物の効果を調べる。実施例１、２、３、及び４はそれぞれ、本発明によるボロキシン化合物のいずれかと、本発明によるアミン化合物のいずれかを含有する。比較例１〜５は、本発明によるボロキシン化合物をいずれも含有しない。比較例６〜８は、本発明によるアミン化合物をいずれも含有しない。比較例９〜１２は、本発明によるアミン化合物、又は本発明によるボロキシン化合物をいずれも含有しない。
【０１２８】
実施例１及び２において参照用の潤滑剤に添加されるホウ素含有化合物は、トリメトキシボロキシンである。実施例３において参照用の潤滑剤に添加されるホウ素含有化合物は、トリエトキシボロキシンである。実施例４において参照用の潤滑剤に添加されるホウ素含有化合物は、トリ−ｎ−ブトキシボロキシンである。
【０１２９】
前述のように比較例１〜５は、本発明によるボロキシン化合物を含有しない。その代わり、比較例１の組成物、及び比較例２の組成物はともに、ホウ素含有化合物を含有しない。比較例１は、本発明によるアミン化合物を含有し、比較例２は、本発明によるアミン化合物を含有しない。比較例３において参照用潤滑剤に添加されるホウ素含有化合物は、トリス−（２−エチルヘキシル）ボロキシンである。比較例４において参照用潤滑剤に添加されるホウ素含有化合物は、トリブチルボレートである。比較例５において参照用潤滑剤に添加されるホウ素含有化合物は、トリイソプロピルボレートである。
【０１３０】
比較例６〜９は、本発明によるボロキシン化合物を含有するが、本発明によるアミン化合物を含有しない。比較例６及び７において参照用の潤滑剤に添加されるボロキシン化合物は、トリメトキシボロキシンである。比較例８において参照用の潤滑剤に添加されるボロキシン化合物は、トリエトキシボロキシンである。比較例９において参照用の潤滑剤に添加されるボロキシン化合物は、トリ−ｎ−ブトキシボロキシンである。
【０１３１】
比較例１０〜１２は、本発明によるボロキシン化合物、又は本発明によるアミン化合物をいずれも含有しない。比較例１０におけるホウ素含有化合物は、トリス−（２−エチルヘキシル）ボロキシンである。比較例１１におけるホウ素含有化合物は、トリブチルボレートである。比較例１２におけるホウ素含有化合物は、トリイソプロピルボレートである。
【０１３２】
実施例１〜４、並びに比較例１、及び比較例３〜５で含有されるアミン化合物は、（２，２，６，６−テトラメチル−４−ピペリジル）ドデカノエートである。
【０１３３】
各実施例及び比較例について、参照用潤滑剤の量、及び添加成分の量はそれぞれ、下記表２、３、及び４に記載されている。
【表２】
0005883200.tif 000021
【表３】
0005883200.tif 000022
【表４】
0005883200.tif 000023
【０１３４】
実施例及び比較例のシール適合性は、工業規格のシール適合性試験CEC-L-39-T96を用いて評価した。CEC-L-39-T96シール適合性試験は、シール又はガスケットを潤滑剤組成物にさらし、潤滑剤組成物を、そこに含有されるシールとともに高温に加熱し、しばらくの間、高温を維持することによって行う。それからシールを取り外して乾燥させ、シールの機械的特性を評価し、潤滑時組成物中で加熱しなかったシール検体と比較する。これらの特性におけるパーセンテージの変化は、潤滑剤組成物とのシールの適合性を評価するために分析する。各調製物を同じ条件で二回試験した（第一群、及び第二群）。シール適合性試験の結果が、表５〜１０に示してある。
【表５】
0005883200.tif 000024
【表６】
0005883200.tif 000025
【表７】
0005883200.tif 000026
【表８】
0005883200.tif 000027
【表９】
0005883200.tif 000028
【表１０】
0005883200.tif 000029
【０１３５】
比較例１は、潤滑剤組成物のシール適合性に対するアミン化合物の効果を説明するものである。比較例１及び比較例２の引張強さと破断点伸びを比較すると、本発明によるアミン化合物を参照用潤滑剤に添加することにより、参照用潤滑剤のシール適合性に否定的な影響を与えることを、発明者らは発見した。実施例１、２、３、及び４はそれぞれ、比較例１と同じ本発明によるアミン化合物を含有し、本発明によるボロキシン化合物を１種含有する。表４〜７に示した結果から分かるように、実施例１〜４のシール適合性は、比較例１のシール相容性に比して、引張強さと破断点伸びの双方で、明らかに改善している。
【０１３６】
表５〜８からはまた、実施例１及び２のシール適合性が、比較例３〜５のシール適合性に比して、引張強さと破断点伸びの点で改善していることが分かる。実施例１の引張強さは、−３９％〜−３２％であり、実施例２の引張強さは−２％〜−５％である。これに対して比較例３、４、及び５の引張強さはそれぞれ、−４７％〜−４４％、−３９％〜−４１％、及び−４４％〜−４２％である。同様に、実施例１の破断点伸びは、−５４％〜−５１％であり、実施例２の破断点伸びは８％〜−５％である。これに対して、比較例３、４、及び５の破断点伸びはそれぞれ、−７２％〜−６８％、−６４％〜−６１％、−６６％〜−６７％である。この試験により、実施例１及び２の潤滑剤組成物は、引張強さと破断点伸びの点で、フルオロポリマーシールとの適合性がかなり良好である。この比較により、潤滑剤組成物におけるトリメトキシボロキシンと、本発明によるアミン化合物との組み合わせは、シール適合性を、他のホウ素含有化合物を含有する潤滑剤組成物（例えば比較例３〜５で用いた物）に比してかなり改善させることが実証される。
【０１３７】
最後に、比較例２と、比較例６〜１２とを比較することにより、ホウ素含有化合物を含有するが、本発明によるアミン化合物を含有しない潤滑剤組成物は、潤滑剤組成物のシール適合性に否定的な影響を大きくは与えないことが分かる。従って、本願の発明者らは意外なことに、本発明によるアミン化合物と本発明によるボロキシン化合物とを組み合わせることにより、参照潤滑剤に存在する場合には、シール適合性に対して相乗効果が得られることを発見した。
【０１３８】
従属請求項は、特定の化合物、組成物、又は詳細な説明に記載された方法に制限されると理解されるべきではなく、これらは従属請求項の範囲内で全て、特定の態様の範囲内で変わりうると理解されるべきである。ここで記載したマーカッシュ群については、様々な態様の特定の特徴又は形態を記載するものではなく、異なる、特別な、及び／又は予測できない結果が、他のマーカッシュの選択肢とは独立して、各マーカッシュ群から得られることに留意すべきである。マーカッシュ群の各選択肢は、個々に、及び／又は組み合わせに基づいていてよく、従属請求項の範囲内で特定の態様を充分にサポートする。
【０１３９】
また、本発明の様々な態様を記載するにあたり、あらゆる範囲と二次的な範囲は、独立して、また共同して、従属請求項の範囲に入ると理解されるべきであり、たとえここに具体的な値が明示的に記載されていない場合であっても、全体の、及び／又は部分的な値を含む全ての範囲を記載、保証すると理解されるべきである。当業者は、挙げられた範囲と二次的な範囲が、本発明の様々な態様を記載、かつ可能にしていることを直ちに理解でき、これらの範囲と二次的な範囲はさらに、半分、三分の一、四分の一、五分の一などに線引きすることができる。単に例として挙げると、「０．１〜０．９」という範囲は、さらに細かく分けることができる。つまり、０．１〜０．３（下限の三分の一）、０．４〜０．６（真ん中の三分の一）、そして０．７〜０．９（上限の三分の一）という具合であり、これらは個々に、また共同して従属請求項の範囲に入り、個々に、及び／又は共同して従属請求項の範囲にある特定の態様を充分にサポートする。
【０１４０】
加えて、範囲を規定又は修飾する言語について、例えば「少なくとも」、「より大きい」、「より少ない」、「以上」などという言葉には、二次的な範囲及び／又は上限又は下限が含まれると理解されるべきである。別の態様において、「少なくとも１０」という範囲には、内在的に少なくとも１０〜３５という二次的な範囲、少なくとも１０〜２５という二次的な範囲、２５〜３５という二次的な範囲などが含まれ、二次的な範囲はそれぞれ、個々に及び／又は共同していてよく、従属請求項の範囲にある特定の態様を充分にサポートする。最後に、開示された範囲にある個々の数字は、従属請求項の範囲内で特定の態様の根拠となり、またこれを充分にサポートすることができる。例えば、１〜９という範囲には、様々な整数、例えば３、また１０分の１（又は画分）を含む個々の数値（例えば４．１）が含まれ、これらは従属請求項の範囲内で特定の態様の根拠となり、またこれを充分にサポートすることができる。
【０１４１】
本発明は、ここに説明的に記載されているが、これまで使用されてきた用語は、制限という意味合いでは無く、明細書の言葉の本質に意図されていると理解されるべきである。本発明について多くの修正と変形が、上記教示に基づき可能であり、本発明は具体的に記載された以外のやり方でも、実施できる。
【０１４２】
独立請求項及び従属請求項（単項従属と多項従属の双方）のあらゆる組み合わせの対象は、ここで明示的に考慮されるべきである。以下にその例を記すが、従属関係がこれらに限られるわけではない：
・請求項３は、請求項１又は２のいずれかに従属することができる。
・請求項４は、請求項１から３までのいずれかに従属することができる。
・請求項５は、請求項１から４までのいずれかに従属することができる。
・請求項７は、請求項１から６までのいずれかに従属することができる。
・請求項８は、請求項１から７までのいずれかに従属することができる。
・請求項９は、請求項１から８までのいずれかに従属することができる。
・請求項１０は、請求項１から９までのいずれかに従属することができる。
・請求項１１は、請求項１から１０までのいずれかに従属することができる。
・請求項１２は、請求項１から１１までのいずれかに従属することができる。